【手続補正書】
【提出日】平成25年8月12日(2013.8.12)
【手続補正１】
【補正対象書類名】特許請求の範囲
【補正対象項目名】全文
【補正方法】変更
【補正の内容】
【特許請求の範囲】
【請求項１】
サーチ結果をフィルタリングするための方法であって、
複数のコンテンツ項目を表示するステップであって、前記コンテンツ項目が、サーチ問い合わせに対応する１つ以上のコンテンツ表示オブジェクトと、前記サーチ問い合わせに対応する１つ以上の一次的コンテンツ・カテゴリー・オブジェクトと、１つ以上の二次的コンテンツ・カテゴリー・オブジェクトとを含む、ステップと、
コンテンツ項目の選択を受けるステップと、
前記選択されたコンテンツ項目に基づいて前記サーチ問い合わせを変更するステップと、
第２複数のコンテンツ項目を表示するステップであって、前記第２複数のコンテンツ項目が、前記変更されたサーチ問い合わせに対応し前記１つ以上のコンテンツ表示オブジェクトとは異なる少なくとも１つの第２コンテンツ表示オブジェクトと、前記１つ以上の一次的コンテンツ・カテゴリー・オブジェクトおよび１つ以上の二次的コンテンツ・カテゴリー・オブジェクトとは異なる少なくとも１つの追加のコンテンツ・カテゴリー・オブジェクトとを含む、ステップと、
を含み、
コンテンツ表示オブジェクトは、情報を表示するための複数のフォーマットと関連し、該複数のフォーマットは、前記サーチ問い合わせを受ける前に前記コンテンツ表示オブジェクトに関連付けられ、コンテンツ表示オブジェクトに関連付けられた前記複数のフォーマットは、前記コンテンツ表示オブジェクトによって提供される前記情報のコンテンツ・タイプに基づく、方法。
【請求項２】
請求項１記載の方法において、前記複数のコンテンツ項目が、更に、１つ以上のアプリケーション表示オブジェクトを含む、方法。
【請求項３】
請求項１記載の方法において、前記選択されたコンテンツ項目が、コンテンツ・カテゴリー・オブジェクトである、方法。
【請求項４】
請求項３記載の方法において、前記選択されたコンテンツ・カテゴリー・オブジェクトが、前記第２複数のコンテンツ項目において一次的コンテンツ・カテゴリー・オブジェクトとして表示される、方法。
【請求項５】
請求項１記載の方法において、前記カテゴリー表示オブジェクトおよびコンテンツ・カテゴリー・オブジェクトは、オントロジー・ベースのカテゴリーに対応する、方法。
【請求項６】
請求項１記載の方法において、前記サーチ問い合わせを変更するステップが、前記選択されたコンテンツ項目に基づいてタームを前記サーチ問い合わせに追加するステップを含む、方法。
【請求項７】
請求項１記載の方法において、前記サーチ問い合わせを変更するステップが、前記サーチ問い合わせから１つ以上のタームを除去するステップを含む、方法。
【請求項８】
請求項１記載の方法において、前記方法が、更に、前記サーチ問い合わせを受けた後に前記１つ以上のコンテンツ表示オブジェクトを準備するステップを含み、前記コンテンツ表示オブジェクトの準備が、
前記コンテンツ表示オブジェクト内で提示される情報を得るステップと、
前記コンテンツ表示オブジェクトと関連した前記複数のフォーマットまたはアプリケーションから選択した少なくとも１つのフォーマットまたはアプリケーションを使用して、前記得られた情報をフォーマットするステップと、
前記フォーマットされた情報を表示するステップと、
を含む、方法。
【請求項９】
請求項８記載の方法において、前記得られた情報をフォーマットするステップが、前記情報を表示するためのアプリケーションに、前記情報を組み込むステップを含む、方法。
【請求項１０】
請求項１記載の方法において、前記選択されたコンテンツ項目が、コンテンツ表示オブジェクトであり、前記コンテンツ表示オブジェクトの選択および前記サーチ問い合わせの変更が、
複数のコンテンツ表示オブジェクトからの１つの選択を受けるステップと、
前記選択されたコンテンツ表示オブジェクトに対応する複数の情報レベルを表示するステップと、
前記選択されたコンテンツ表示オブジェクト内で情報レベルの選択を受けるステップと、
前記選択された情報レベルに基づいて前記サーチ問い合わせを変更するステップと、
を含む、方法。
【請求項１１】
請求項１０記載の方法において、前記選択された情報レベルが、前記コンテンツ表示オブジェクトの選択に先立って前記コンテンツ表示オブジェクトの一部として表示された情報レベルとは異なる、方法。
【請求項１２】
請求項１記載の方法において、前記１つ以上のコンテンツ・カテゴリー・オブジェクトおよび前記１つ以上の二次的コンテンツ・カテゴリー・オブジェクトは、コンテンツ・カテゴリーのグラフ・ナビゲーション表示におけるノードとして表示される、方法。
【請求項１３】
サーチ結果をフィルタリングするための方法であって、
複数のコンテンツ項目を表示するステップであって、前記コンテンツ項目が、サーチ問い合わせに対応する１つ以上のコンテンツ表示オブジェクトと、前記サーチ問い合わせに対応する１つ以上の一次的コンテンツ・カテゴリー・オブジェクトと、１つ以上の二次的コンテンツ・カテゴリー・オブジェクトとを含む、ステップと、
コンテンツ表示オブジェクトの選択を受けるステップと、
前記選択されたコンテンツ表示オブジェクトに基づいて前記サーチ問い合わせを変更するステップと、
前記変更されたサーチ問い合わせから１つ以上のオブジェクトまたは属性を抽出するために、前記変更されたサーチ問い合わせを処理するステップと、
前記変更されたサーチ問い合わせの前記１つ以上の抽出されたオブジェクトまたは属性に関連のある知識コンテンツを決定するために、知識ベースを利用して、前記変更されたサーチ問い合わせから前記オブジェクトまたは属性を分析するステップと、
第２複数のコンテンツ項目を表示するステップであって、前記第２複数のコンテンツ項目が、前記変更されたサーチ問い合わせに対応し前記１つ以上のコンテンツ表示オブジェクトとは異なる少なくとも１つの第２コンテンツ表示オブジェクトと、前記１つ以上の一次的コンテンツ・カテゴリー・オブジェクトおよび１つ以上の二次的コンテンツ・カテゴリー・オブジェクトとは異なる少なくとも１つの追加のコンテンツ・カテゴリー・オブジェクトとを含む、ステップと、
を含み、
コンテンツ表示オブジェクトは、情報を表示するための複数のフォーマットと関連し、該複数のフォーマットは、前記サーチ問い合わせを受ける前に前記コンテンツ表示オブジェクトに関連付けられ、コンテンツ表示オブジェクトに関連付けられた前記複数のフォーマットは、前記コンテンツ表示オブジェクトによって提供される前記情報のコンテンツ・タイプに基づく、方法。
【請求項１４】
請求項１３記載の方法において、前記知識ベースが、知識コンテンツ・データーベースを含み、前記知識コンテンツ・データーベースが、少なくとも、コンテンツ・グラフと、ソーシャル・グラフと、ユーザー活動グラフと、これらコンテンツ・グラフ、ソーシャル・グラフ、およびユーザー活動グラフの各々に関係する時間的データーとを含む、方法。
【請求項１５】
請求項１３記載の方法において、前記受けた情報要求の１つ以上の抽出されたオブジェクトおよび／または属性に関連のある知識コンテンツを決定するために、知識ベースを利用して前記情報要求から前記オブジェクトおよび／または属性を分析するステップが、少なくとも１つのオントロジーを、前記抽出されたオブジェクトおよび／または属性に適用するステップを含む、方法。
【請求項１６】
ユーザーにコンテンツを表示するためのシステムであって、
コンテンツ表示オブジェクトにおいて表示するために情報を取り出し、前記コンテンツ表示オブジェクトに関連した１つ以上のフォーマットを特定するためのコンテンツ取り出しマネージャーであって、前記１つ以上のフォーマットが、前記情報を取り出す前に特定される、コンテンツ取り出しマネージャーと、
アプリケーション表示オブジェクトと、コンテンツ表示オブジェクトとを格納するための表示オブジェクト・ライブラリーと、
アプリケーション表示オブジェクト、コンテンツ表示オブジェクト、およびコンテンツ・カテゴリーをサーチ問い合わせと照合するパーザーと、
コンテンツ表示オブジェクト、アプリケーション表示オブジェクト、およびコンテンツ・カテゴリーの内少なくとも１つを提示するための表示マネージャーであって、該表示マネージャーが、コンテンツ表示オブジェクトの提示を、該提示されるコンテンツ表示オブジェクトに関連したものとして特定された少なくとも１つのフォーマットを使用して前記コンテンツ取り出しマネージャーが取り出した情報をフォーマットすることによって行い、前記少なくとも１つのフォーマットは、前記取り出した情報のコンテンツ・タイプに基づいて選択される、表示マネージャーと、
を含む、システム。
【請求項１７】
請求項１６記載のシステムにおいて、前記表示マネージャーが、ノード・ネットワーク内のノードとしてコンテンツ・カテゴリーを提示する、システム。
【請求項１８】
請求項１６記載のシステムにおいて、前記パーザーが、１つ以上のオブジェクトまたは属性をサーチ問い合わせから抽出するアナライザーを含む、システム。